(57)【特許請求の範囲】
【請求項１】
外管の内部に内管が配設され、外管，内管が一部分を共通化されて押出金型からの押出しで一体的に形成された二重管において、内管は外管，内管の共通部分から内管の径方向と平行に相対して延びた側壁をもち側壁の奥端で外管，内管の共通部分に対面する奥壁が側壁の間隔よりも拡開されず、外管，内管の共通部分は内管の分岐接続のために穿孔工作が行われるものとされ、外管，内管の共通部分と内管の側壁の内側面との界部は押出加工上必要な最小の曲面である小曲面に形成され、内管の側壁は穿孔工作で押込まれた抜カスを両側から滑るように案内する間隔を有し、内管の奥壁は外管の中心よりも外管，内管の共通部分側に位置されていることを特徴とする二重管。
【請求項２】
請求項１の二重管において、内管の奥壁は断面形状が外側へ凸となる半円形であることを特徴とする二重管。
【請求項３】
請求項１または２の二重管において、内管の側壁の外側面は外管との界部が曲面とされていることを特徴とする二重管。
【発明の詳細な説明】
【技術分野】
【０００１】
本発明は、外管の内部に内管が配設され外管，内管のぞれぞれに液体，気体等の流体が流通される二重管に係る技術分野に属する。
【背景技術】
【０００２】
最近、流体の流通経路をコンパクト化するために広範な産業分野で二重管が普及され、外管，内管の相対的な配置構造について種々改良が試みられている。
【０００３】
従来、二重管としては、例えば、特許文献１に記載のものが知られている。
【０００４】
特許文献１には、金属板を曲げ加工して外管，内管が一体的に形成された二重管が記載されている。
【０００５】
特許文献１に係る二重管は、外管，内管の一部分が共通化されて製造材料量が削減され、製造コストが安価になるものである。また、外管，内管の共通部分に穿孔工作を行うことで、内管に軸方向と直交する方向へ直接的な分岐接続が可能になる。
【先行技術文献】
【特許文献】
【０００６】
【特許文献１】実開昭４８−５７７１５号公報
【発明の概要】
【発明が解決しようとする課題】
【０００７】
特許文献１に係る二重管では、内管の分岐接続のために外管，内管の共通部分にキリコが生じないプレス式で穿孔工作を行うと、内管が小さい場合には抜カスが内管に衝突してしまうため、内管が抜カスで損傷を受けたり抜カスが内管に圧接固着されて除去不能になり、内管が大きい場合には抜カスが内管の内部の隅に隠れてしまうため、抜カスの除去が面倒になるという問題点がある。
【０００８】
本発明は、このような問題点を考慮してなされたもので、外管，内管の共通部分に内管の分岐接続のためのプレス式の穿孔工作を行う際に、抜カスによる不具合が生ずることのない二重管を提供することを課題とする。
【課題を解決するための手段】
【０００９】
前述の課題を解決するため、本発明に係る二重管は、特許請求の範囲の各請求項に記載の手段を採用する。
【００１０】
即ち、請求項１では、外管の内部に内管が配設され、外管，内管が一部分を共通化されて押出金型からの押出しで一体的に形成された二重管において、内管は外管，内管の共通部分から内管の径方向と平行に相対して延びた側壁をもち側壁の奥端で外管，内管の共通部分に対面する奥壁が側壁の間隔よりも拡開されず、外管，内管の共通部分は内管の分岐接続のために穿孔工作が行われるものとされ、外管，内管の共通部分と内管の側壁の内側面との界部は押出加工上必要な最小の曲面である小曲面に形成され、内管の側壁は穿孔工作で押込まれた抜カスを両側から滑るように案内する間隔を有し、内管の奥壁は外管の中心よりも外管，内管の共通部分側に位置されていることを特徴とする。
【００１１】
この手段では、内管が内管の径方向に平行に延びた側壁をもつことで、内管の径方向に動作されるプレス式の穿孔工作によって外管，内管の共通部分から生じて押込まれた抜カスを側壁で円滑に奥方向へ案内して衝突を回避することができ、内管の奥壁が側壁の間隔よりも拡開されていないことで、案内された抜カスが内管の内部の隅に隠れてしまうのを防止することができる。また、外管，内管の共通部分と内管の側壁の内側面との界部が小曲面に形成されることで、外管，内管の共通部分における穿孔工作の切断の応力が集中しやすくなる。
【００１２】
また、請求項２では、請求項１の二重管において、内管の奥壁は断面形状が外側へ凸となる半円形であることを特徴とする。
【００１３】
この手段では、内管の奥壁の断面形状が外側へ凸となる半円形とされることで、内管に内部を流通する流体に対する耐圧性が備えられる。
【００１４】
また、請求項３では、請求項１または２の二重管において、内管の側壁の外側面は外管との界部が曲面とされていることを特徴とする。
【００１５】
この手段では、内管の側壁の外側面と外管との界部が曲面とされることで、内管の側壁と外管との界部に狭小間隙が形成されなくなる。
【発明の効果】
【００１６】
本発明に係る二重管は、内管が内管の径方向に平行に延びた側壁をもつことで、内管の径方向に動作されるプレス式の穿孔工作によって外管，内管の共通部分から生じて押込まれた抜カスを側壁で円滑に奥方向へ案内して衝突を回避することができ、内管の奥壁が側壁の間隔よりも拡開されていないことで、案内された抜カスが内管の内部の隅に隠れてしまうのを防止することができるため、外管，内管の共通部分に内管の分岐接続のためのプレス式の穿孔工作を行う際に、抜カスによる不具合が生ずることがない効果がある。また、外管，内管の共通部分と内管の側壁の内側面との界部が小曲面に形成されることで、外管，内管の共通部分における穿孔工作の切断の応力が集中しやすくなるため、穿孔工作の切断加工が容易かつ確実になされる効果がある。
【００１７】
さらに、請求項２として、内管の奥壁の断面形状が外側へ凸となる半円形とされることで、内管に内部を流通する流体に対する耐圧性が備えられるため、内管を流通する流体が外管を流通する流体よりも高圧である場合に有効となる効果がある。
【００１８】
さらに、請求項３として、内管の側壁と外管との界部が曲面とされることで、内管の側壁と外管との界部に狭小間隙が形成されなくなるため、外管を流通する流体の流通性が阻害されない効果がある。
【図面の簡単な説明】
【００１９】
【図１】本発明に係る二重管を実施するための形態の第１例の正面図（部分拡大図を含む）である。
【図２】図１の製造例を示す斜視図である。
【図３】図１の穿孔工作例の断面図であり、（Ａ）に穿孔前の状態が示され、（Ｂ）に穿孔中の状態が示されている。
【図４】図１の穿孔工作例の穿孔完了状態の断面図である。
【図５】本発明に係る二重管を実施するための形態の第２例の正面図である。
【発明を実施するための形態】
【００２０】
以下、本発明に係る二重管を実施するための形態を図面に基づいて説明する。
【００２１】
図１〜図４は、本発明に係る二重管を実施するための形態の第１例を示すものである。
【００２２】
第１例では、車載用空調機の冷媒の通路等として使用するに好適な比較的小径に形成されるものを示してある。
【００２３】
第１例は、図１に示すように、外管１，内管２からなる。
【００２４】
外管１，内管２は、図２に示すように、熱伝導性の良好なアルミニウム系の金属材を押出金型（ダイス）Ｄから直状に押出して一体的に形成され、内管２が外管１の内部に配設された格好になってる。車載用空調機の冷媒の通路等として使用する場合、外管１を流通する流体が冷媒の気化した気体で、内管２を流通する流体が冷媒の液体である。従って、外管１が低圧管で内管２が高圧管となるが、全体の剛性を考慮して外管１の肉厚ａが内管２の肉厚ｂよりも厚くなるように設定してある（図１参照）。
【００２５】
外管１は、断面形状が真円形に形成されている。
【００２６】
内管２は、図１から明らかなように、断面形状がトンネル形に形成されている。内管２のトンネル形は、外管１の円弧形の一部（共通部分３）を前壁として、共通部分３から内管２の径方向と平行に相対して側壁２１が延び、側壁２１の奥端で共通部分３と断面形状が外側（奥方向）へ凸となる半円形として奥壁２２が対面されることで形成されている。側壁２１の内側面２１ａと共通部分３との界部は、押出加工上必要な最小の曲面である小曲面４に形成されている。側壁２１の外側面２１ｂと外管１との界部は、曲面５に形成されている。
【００２７】
第１例によると、図３に示すように、外管１，内管２の共通部分３に内管２の分岐接続のためのプレス式の穿孔工作を行う場合、当然ながら内管２の側壁２１の間隔の範囲内の大きさのポンチＰが選択される。ポンチＰは、図３（Ａ）に示すように、共通部分３の外側から外管１，内管２の径方向へプレス動作され、図３（Ｂ）に示すように、共通部分３に孔６を穿孔し穿孔にともなって発生した抜カス７を奥方向（内管２の奥壁２２方向）に押込むことになる。
【００２８】
このとき、内管２の側壁２１の内側面２１ａと共通部分３との界部が小曲面４に形成されポンチＰの切断の応力が集中しやすくなっているため、共通部分３が容易に切断され確実に孔６が形成される。また、ポンチＰにより押込まれる抜カス７が両側を内管２の側壁２１で内側面２１ａを滑るように案内されるため、内管２が抜カス７で損傷を受けたり抜カス７が内管２に圧接固着されるようなことはない。また、内管２の側壁２１の奥端にある奥壁２２が側壁２１の間隔よりに拡開されない半円形であるため、抜カス７が内管の内部の隅に隠れてしまうことはない。このため、図４に示すように、ポンチＰを後退させた後、エアを噴射する等によって抜カス７を簡単に排出させることができる。
【００２９】
従って、外管１，内管２の共通部分３に内管２の分岐接続のためのプレス式の穿孔工作を行う際に、抜カス７による不具合が生ずることがない。
【００３０】
さらに、第１例を使用した場合には、内管２の奥壁２２が半円形で耐圧性を備えているため、高圧管としての内管２の機能が確実に確保される。
【００３１】
さらに、内管２が奥壁２２を２本の足である側壁２１で支える格好となっているため、捻るように配管を行っっても内管２が潰れてしまうようなことはない。従って、配管工事に自由度が得られる。
【００３２】
さらに、内管２の側壁２１の外側面２１ｂと外管１との界部が曲面５に形成され狭小間隙Ｓ（図１参照）が形成されない構造であることから、外管１の内部の流体の流通性が阻害されない。なお、曲面５は、内管２の側壁２１を補強して前述の捻るような配管に対して耐捻性をも発揮し、内管２の耐圧性を高めることにも寄与する。
【００３３】
さらに、内管２を外管１の軸方向と直交する方向に確実に分岐接続することが可能になるため、内管２に接続される接続管の配管系や接続フランジの配置等に自由度が得られる。
【００３４】
図５は、本発明に係る二重管を実施するための形態の第２例を示すものである。
【００３５】
第２例は、第１例の内管２を小さくして外管１の中心に対して放射状に３個配置してある。
【００３６】
第２例によると、多数の流体の流通経路をコンパクトに集合することができる。しかも、第１例よりも全体の剛性を高め耐捻性を高めることができる。
【００３７】
以上、図示した各例の外に、外管１，内管２の高圧管，低圧管を変更することが可能であり、これにともなって肉厚ａ，ｂも適宜変更が可能である。
【００３８】
さらに、外管１が非真円形の場合にも適用が可能である。
【００３９】
さらに、外管１に配置される内管２の個数を２個または４個以上とすることも可能である。
【００４０】
さらに、内管２の奥壁２２の形状を半円形以外の形状とすることも可能である。
【実施例】
【００４１】
本発明に係る二重管を実施するための形態を車載用空調機の冷媒の通路として使用する場合、外管１の外径が１９ｍｍで肉厚ａが１．２ｍｍとされ、内管２の肉厚が１，０ｍｍで側壁２１の内側面２１ａの間隔が５ｍｍで奥壁２２の中心が外管１の中心から４．６１ｍｍ離れた位置に設定される。
【産業上の利用可能性】
【００４２】
本発明に係る二重管は、車載用空調機の冷媒の通路以外の用途にも供することができ、かなり大径に形成される場合に適用が可能である。
【符号の説明】
【００４３】
１            外管
２            内管
２１          側壁
２２          奥壁
３            共通部分
５            曲面
６            孔
７            抜カス
【図１】
0005514033.tif 000002
【図２】
0005514033.tif 000003
【図３】
0005514033.tif 000004
【図４】
0005514033.tif 000005
【図５】
0005514033.tif 000006